(57)【要約】【課題】操作性が向上され、撮像効率を向上させる。【解決手段】入力部４１において複数の入力項目に入力データが順次入力された入力順序と、その複数の入力項目に入力データが順次入力された入力タイミングとを登録データとして記憶部４３が記憶する。そして、入力部４１においては、その記憶部４３によって記憶されている登録データを、その記憶部から呼び出す呼出データが入力データとしてオペレータによって入力されるように構成されており、その入力部４１において呼出データが入力された際には、記憶部４３によって登録データとして記憶されている入力順序と入力タイミングとに従うように、操作部４２が撮像装置２を操作する。【選択図】図４
2008289582.tif 000002
【特許請求の範囲】
【請求項１】
被検体を撮像する撮像装置と、前記撮像装置が動作するように操作を実行する操作装置とを有する画像診断装置であって、
前記操作装置は、
オペレータによって複数の入力項目に入力データが入力されるように構成されている入力部と、
前記入力部において前記複数の入力項目に入力された前記入力データに基づいて前記撮像装置を操作する操作部と、
前記入力部において前記複数の入力項目に入力データが順次入力された入力順序と、前記複数の入力項目に入力データが順次入力された入力タイミングとを登録データとして記憶する記憶部と
を含み、
前記入力部は、前記記憶部によって記憶されている登録データを、前記記憶部から呼び出す呼出データが、前記入力データとしてオペレータによって入力されるように構成されており、
前記操作部は、前記入力部において前記呼出データが入力された際には、前記記憶部によって登録データとして記憶されている前記入力順序と前記入力タイミングとに従うように前記撮像装置を操作する
画像診断装置。
【請求項２】
前記操作装置は、
表示画面に画像を表示する表示部
を有し、
前記表示部は、前記入力部において前記複数の入力項目にて予め定められた特定の入力項目に前記入力データが入力された際には、当該特定の入力項目に入力データが入力された旨を示す画像を前記表示画面に表示する、
請求項１に記載の画像診断装置。
【請求項３】
前記操作装置は、
前記撮像装置の動作をモニターするモニター部
を含み、
前記操作部は、前記入力順序と前記入力タイミングとに対応するように前記撮像装置を操作する際には、前記モニター部が前記撮像装置についてモニターした結果に基づいて当該入力タイミングと異なるタイミングに変更して、前記撮像装置の操作を実行する、
請求項１または２に記載の画像診断装置。
【請求項４】
前記撮像装置は、
前記被検体についてスキャンを実施することによってローデータを収集するスキャン部
を有し、
前記モニター部は、前記スキャン部の動作をモニターする、
請求項３に記載の画像診断装置。
【請求項５】
前記撮像装置は、
前記被検体が載置されるクレードルと、
前記クレードルを前記スキャン部に移動させるクレードル移動部と
を有し、
前記スキャン部は、前記クレードル移動部によって移動された前記クレードルを収容する撮像空間を含み、当該撮像空間において収容した前記クレードルに載置された被検体から前記ローデータを収集することによって、前記スキャンを実施するように構成されており、
前記入力部は、前記クレードル移動部に前記クレードルを移動させる動作を開始させるクレードル移動開始指令が、前記入力データとして入力されるように構成されており、
前記操作部は、前記クレードル移動開始指令に基づいて、前記クレードルを前記撮像空間へ収容させるように前記クレードル移動部を操作し、
前記モニター部は、前記操作部によって操作された前記クレードル移動部が前記クレードルを前記撮像空間へ収容させる動作が完了したか否かをモニターし、
前記モニター部が前記クレードル移動部の動作をモニターした結果に基づいて、前記クレードル移動部が前記クレードルを前記撮像空間へ収容させる動作が完了したか否かを判断し、当該クレードル移動部の動作が完了されたものと判断された際に、前記スキャン部が前記スキャンの実施を開始するように、前記操作部が前記スキャン部を操作する、
請求項４に記載の画像診断装置。
【請求項６】
前記撮像装置は、
前記スキャン部によって取得されたローデータについて画像再構成処理を実施することによって、前記被検体の画像を再構成する画像再構成部
を有し、
前記モニター部は、前記画像再構成部の動作をモニターする、
請求項５に記載の画像診断装置。
【請求項７】
前記撮像装置は、
前記画像再構成部によって再構成された画像についてフィルミングを実施するフィルミング部
を有し、
前記入力部は、前記スキャン部に前記スキャンの実施を開始させるスキャン開始指令と、前記フィルミング部にフィルミングの実施を開始させるフィルミング開始指令とが、前記入力データとして入力されるように構成されており、
前記記憶部は、前記入力部において前記スキャン開始指令と前記フィルミング開始指令とが順次入力された入力順序と入力タイミングとのそれぞれを、前記登録データとして記憶し、
前記操作部は、前記入力部において前記呼出データが入力された際には、前記記憶部によって記憶されている登録データに基づいて、前記入力順序と前記入力タイミングとに対応するように、前記スキャン部が前記スキャンを実施し、当該スキャンの実施によって収集されたローデータに基づいて前記画像再構成部が前記画像再構成処理を実施した後に、前記フィルミング部が前記フィルミングを実施するように、前記撮像装置を操作する、
請求項６に記載の画像診断装置。
【請求項８】
前記操作部は、前記記憶部にて前記登録データとして記憶されている前記入力タイミングに対応する時間において前記画像再構成部が実施する前記画像再構成処理が完了するかしないかを、前記モニター部によってモニターされた結果に基づいて判断し、当該画像再構成処理の実施が当該入力タイミングに対応する時間において完了しないと判断される際には、前記記憶部において前記登録データとして記憶されている入力タイミングに対応する時間よりも長い時間になるように変更して、前記撮像装置を操作する、
請求項７に記載の画像診断装置。
【請求項９】
前記操作部は、前記記憶部において前記登録データとして記憶されている前記入力タイミングにおいて前記画像再構成部が実施する前記画像再構成処理が完了するかしないかを、前記モニター部によってモニターされた結果に基づいて判断し、当該画像再構成処理の実施が当該入力タイミングにおいて完了すると判断される際には、前記記憶部によって前記登録データとして記憶されている入力タイミングに対応する時間よりも短い時間になるように変更し、前記撮像装置を操作する、
請求項７または８に記載の画像診断装置。
【請求項１０】
前記操作部は、前記画像再構成処理の実施が完了する時点に対応して、前記フィルミング部がフィルミングの実施を開始するように、前記撮像装置を操作する、
請求項８または９に記載の画像診断装置。
【請求項１１】
前記スキャン部は、前記撮像空間に静磁場を形成するように構成されており、当該静磁場を形成した撮像空間において前記被検体から磁気共鳴信号を前記ローデータとして収集することによって、前記スキャンを実施する、
請求項５から１０のいずれかに記載の画像診断装置。
【請求項１２】
前記スキャン部は、マグネットルームに収容されており、
前記マグネットルームは、ドアが設けられており、
前記モニター部は、前記マグネットルームのドアの開閉をモニターし、
前記操作部は、前記入力順序と前記入力タイミングとに対応するように前記撮像装置を操作する際には、前記モニター部が前記マグネットルームのドアの開閉についてモニターした結果において前記ドアが閉じられている場合に、前記撮像装置の操作を開始をする、
請求項１１に記載の画像診断装置。
【発明の詳細な説明】
【技術分野】
【０００１】
本発明は、画像診断装置に関する。特に、被検体を撮像する撮像装置と、前記撮像装置が動作するように操作を実行する操作装置とを有する画像診断装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置などの画像診断装置は、被検体についてイメージングする装置であり、医療用途、産業用途などのさまざまな分野において利用されている。
【０００３】
磁気共鳴イメージング装置において被検体をイメージングする際には、マグネットルーム（ｍａｇｎｅｔ  ｒｏｏｍ）において、クレードル（ｃｒａｄｌｅ）に被検体を載置する。そして、静磁場が形成された撮像空間内に、そのクレードルに載置された被検体を収容し、その被検体におけるプロトン（ｐｒｏｔｏｎ）のスピン（ｓｐｉｎ）を、その静磁場の方向へ整列させ、磁化ベクトルを発生させる。そして、共鳴周波数のＲＦパルス（Ｒａｄｉｏ  Ｆｒｅｑｕｅｎｃｙ  ｐｕｌｓｅ）を送信して高周波磁場を形成することによって、核磁気共鳴（ＮＭＲ：ｎｕｃｌｅａｒ  ｍａｇｎｅｔｉｃ  ｒｅｓｏｎａｎｃｅ）現象を生じさせる。これにより、スピンの向きをフリップ（ｆｌｉｐ）し、そのプロトンの磁化ベクトルを変化させる。その後、そのスピンが静磁場の方向に沿った元の磁化ベクトルの状態に戻る際に生ずる磁気共鳴（ＭＲ）信号を受信する。このようにして、被検体についてスキャン（ｓｃａｎ）を実施し、その被検体をイメージングする際にローデータ（ｒａｗ  ｄａｔａ）とする磁気共鳴信号を収集する。そして、その磁気共鳴信号をローデータとして、その被検体について、スライス（ｓｌｉｓｅ）画像などの磁気共鳴画像を生成する。その後、その生成した磁気共鳴画像について、フィルミング（ｆｉｌｍｉｎｇ）を実行する。
【０００４】
このような画像診断装置においては、操作装置が撮像装置を操作し、その撮像装置によってイメージングが実行される。操作装置は、たとえば、グラフィカル・ユーザー・インターフェイス（ｇｒａｆｉｃａｌ  ｕｓｅｒ  ｉｎｔｅｒｆａｃｅ）であり、オペレータ（ｏｐｅｒａｔｏｒ）によって操作データが入力される入力項目を表示画面に複数表示する。そして、オペレータがキーボード（ｋｅｙｂｏａｒｄ）などの入力デバイスを用いることによって表示画面に表示された複数の入力項目に応じるように操作データを入力する。その後、その入力された操作データに基づいて、操作装置が操作する（たとえば、特許文献１参照）。
【０００５】
【特許文献１】特開２００７−１１１１１２号公報（図３など）
【発明の開示】
【発明が解決しようとする課題】
【０００６】
しかしながら、このような操作装置においては、表示画面に複数の入力項目が表示され、その複数の入力項目にオペレータが入力データを順次入力するために、入力操作に多くの時間を要する場合があった。たとえば、オペレータが入力操作に慣れていない場合においては、この入力操作に時間を要するために、被検体を撮像する撮像効率が低下する場合があった。特に、磁気共鳴イメージング装置の場合においては、この入力操作が複雑であるために、上記の不具合が顕著に発生する場合があった。
【０００７】
また、複数の入力項目に入力データを入力する入力手順が、ルーチン（ｒｏｕｔｉｎｅ）化されている場合であっても、その入力データの入力を、随時、実施しているために、効率的に入力操作を実行することが困難な場合があった。
【０００８】
したがって、本発明においては、操作性を向上し、撮像効率を向上可能な画像診断装置を提供する。
【課題を解決するための手段】
【０００９】
本発明は、被検体を撮像する撮像装置と、前記撮像装置が動作するように操作を実行する操作装置とを有する画像診断装置であって、前記操作装置は、オペレータによって複数の入力項目に入力データが入力されるように構成されている入力部と、前記入力部において前記複数の入力項目に入力された前記入力データに基づいて前記撮像装置を操作する操作部と、前記入力部において前記複数の入力項目に入力データが順次入力された入力順序と、前記複数の入力項目に入力データが順次入力された入力タイミングとを登録データとして記憶する記憶部とを含み、前記入力部は、前記記憶部によって記憶されている登録データを、前記記憶部から呼び出す呼出データが、前記入力データとしてオペレータによって入力されるように構成されており、前記操作部は、前記入力部において前記呼出データが入力された際には、前記記憶部によって記憶されている登録データに基づいて、前記入力順序と前記入力タイミングとに対応するように前記撮像装置を操作する。
【００１０】
好適には、前記操作装置は、表示画面に画像を表示する表示部を有し、前記表示部は、前記入力部において前記複数の入力項目にて予め定められた特定の入力項目に前記入力データが入力された際には、当該特定の入力項目に入力データが入力された旨を示す画像を前記表示画面に表示する。
【００１１】
好適には、前記操作装置は、前記撮像装置の動作をモニターするモニター部を含み、前記操作部は、前記入力順序と前記入力タイミングとに対応するように前記撮像装置を操作する際には、前記モニター部が前記撮像装置についてモニターした結果に基づいて当該入力タイミングと異なるタイミングに変更して、前記撮像装置の操作を実行する。
【００１２】
好適には、前記撮像装置は、前記被検体についてスキャンを実施することによってローデータを収集するスキャン部を有し、前記モニター部は、前記スキャン部の動作をモニターする。
【００１３】
好適には、前記撮像装置は、前記被検体が載置されるクレードルと、前記クレードルを前記スキャン部に移動させるクレードル移動部とを有し、前記スキャン部は、前記クレードル移動部によって移動された前記クレードルを収容する撮像空間を含み、当該撮像空間において収容した前記クレードルに載置された被検体から前記ローデータを収集することによって、前記スキャンを実施するように構成されており、前記入力部は、前記クレードル移動部に前記クレードルを移動させる動作を開始させるクレードル移動開始指令が、前記入力データとして入力されるように構成されており、前記操作部は、前記クレードル移動開始指令に基づいて、前記クレードルを前記撮像空間へ収容させるように前記クレードル移動部を操作し、前記モニター部は、前記操作部によって操作された前記クレードル移動部が前記クレードルを前記撮像空間へ収容させる動作が完了したか否かをモニターし、前記モニター部が前記クレードル移動部の動作をモニターした結果に基づいて、前記クレードル移動部が前記クレードルを前記撮像空間へ収容させる動作が完了したか否かを判断し、当該クレードル移動部の動作が完了されたものと判断された際に、前記スキャン部が前記スキャンの実施を開始するように、前記操作部が前記スキャン部を操作する。
【００１４】
好適には、前記撮像装置は、前記スキャン部によって取得されたローデータについて画像再構成処理を実施することによって、前記被検体の画像を再構成する画像再構成部を有し、前記モニター部は、前記画像再構成部の動作をモニターする。
【００１５】
好適には、前記撮像装置は、前記画像再構成部によって再構成された画像についてフィルミングを実施するフィルミング部を有し、前記入力部は、前記スキャン部に前記スキャンの実施を開始させるスキャン開始指令と、前記フィルミング部にフィルミングの実施を開始させるフィルミング開始指令とが、前記入力データとして入力されるように構成されており、前記記憶部は、前記入力部において前記スキャン開始指令と前記フィルミング開始指令とが順次入力された入力順序と入力タイミングとのそれぞれを、前記登録データとして記憶し、前記操作部は、前記入力部において前記呼出データが入力された際には、前記記憶部によって記憶されている登録データに基づいて、前記入力順序と前記入力タイミングとに対応するように、前記スキャン部が前記スキャンを実施し、当該スキャンの実施によって収集されたローデータに基づいて前記画像再構成部が前記画像再構成処理を実施した後に、前記フィルミング部が前記フィルミングを実施するように、前記撮像装置を操作する。
【００１６】
好適には、前記操作部は、前記記憶部にて前記登録データとして記憶されている前記入力タイミングに対応する時間において前記画像再構成部が実施する前記画像再構成処理が完了するかしないかを、前記モニター部によってモニターされた結果に基づいて判断し、当該画像再構成処理の実施が当該入力タイミングに対応する時間において完了しないと判断される際には、前記記憶部において前記登録データとして記憶されている入力タイミングに対応する時間よりも長い時間になるように変更して、前記撮像装置を操作する。
【００１７】
好適には、前記操作部は、前記記憶部において前記登録データとして記憶されている前記入力タイミングにおいて前記画像再構成部が実施する前記画像再構成処理が完了するかしないかを、前記モニター部によってモニターされた結果に基づいて判断し、当該画像再構成処理の実施が当該入力タイミングにおいて完了すると判断される際には、前記記憶部によって前記登録データとして記憶されている入力タイミングに対応する時間よりも短い時間になるように変更し、前記撮像装置を操作する。
【００１８】
好適には、前記操作部は、前記画像再構成処理の実施が完了する時点に対応して、前記フィルミング部がフィルミングの実施を開始するように、前記撮像装置を操作する。
【００１９】
好適には、前記スキャン部は、前記撮像空間に静磁場を形成するように構成されており、当該静磁場を形成した撮像空間において前記被検体から磁気共鳴信号を前記ローデータとして収集することによって、前記スキャンを実施する。
【００２０】
好適には、前記スキャン部は、マグネットルームに収容されており、前記マグネットルームは、ドアが設けられており、前記モニター部は、前記マグネットルームのドアの開閉をモニターし、前記操作部は、前記入力順序と前記入力タイミングとに対応するように前記撮像装置を操作する際には、前記モニター部が前記マグネットルームのドアの開閉についてモニターした結果において前記ドアが閉じられている場合に、前記撮像装置の操作を開始をする。
【発明の効果】
【００２１】
本発明によれば、操作性を向上し、撮像効率を向上可能な画像診断装置を提供することができる。
【発明を実施するための最良の形態】
【００２２】
以下より、本発明にかかる画像診断装置として、磁気共鳴イメージング装置について説明する。
【００２３】
（装置構成）
図１は、本発明にかかる実施形態において、磁気共鳴イメージング装置１の構成を示す構成図である。
【００２４】
図１に示すように、本実施形態の磁気共鳴イメージング装置１は、撮像装置２と、操作装置４とを有している。
【００２５】
この磁気共鳴イメージング装置１において撮像装置２は、被検体ＳＵを撮像する装置であって、図１に示すように、スキャン部１１と、被検体移動部２１と、制御部３０と、画像再構成部３１と、フィルミング部３２とを有している。ここでは、スキャン部１１は、図１に示すように、静磁場マグネット部１２と、勾配コイル部１３と、ＲＦコイル（ｃｏｉｌ）部１４と、ＲＦ駆動部１５と、勾配駆動部１６と、データ収集部１７とを有しており、被検体移動部２１は、クレードル２１ａと、クレードル移動部２１ｂとを有している。そして、このスキャン部１１と被検体移動部２１とのそれぞれは、図１に示すように、マグネットルームＭＧに収容されており、そのマグネットルームＭＧに設けられたドアＭＤにおいて、被検体ＳＵが搬出入される。
【００２６】
そして、この磁気共鳴イメージング装置１において操作装置４は、撮像装置２が動作するように操作を実行する装置であって、図１に示すように、入力部４１と、操作部４２と、記憶部４３と、モニター（ｍｏｎｉｔｏｒ）部４４と、表示部４５とを有している。
【００２７】
撮像装置２について説明する。
【００２８】
撮像装置２においてスキャン部１１は、被検体についてスキャンを実施することによってローデータを収集するように構成されている。本実施形態においては、スキャン部１１は、図１に示すように、クレードル移動部２１ｂによって移動されたクレードル２１ａを収容する撮像空間Ｂが形成されており、その撮像空間Ｂにおいて収容したクレードル２１ａに載置されている被検体ＳＵからローデータを収集するように、スキャンを実施する。ここでは、スキャン部１１は、撮像空間Ｂに静磁場を形成するように構成されており、その静磁場を形成した撮像空間Ｂにおいて被検体ＳＵから磁気共鳴信号をローデータとして収集することによって、このスキャンを実施する。具体的には、スキャン部１１は、制御部３０から出力された制御信号に基づいて、その被検体ＳＵが収容された撮像空間ＢにＲＦパルスを照射し、その被検体において生ずる磁気共鳴信号を収集することによって、その被検体ＳＵについてスキャンを実施する。
【００２９】
スキャン部１１の各構成要素について順次説明する。
【００３０】
静磁場マグネット部１２は、たとえば、水平磁場型であって、被検体ＳＵが収容される撮像空間Ｂにおいて載置される被検体ＳＵの体軸方向に沿うように、超伝導磁石（図示なし）が静磁場を形成する。なお、静磁場マグネット部１２は、垂直磁場型であって、一対の永久磁石が対面する方向に沿って静磁場を形成する場合であってもよい。
【００３１】
勾配コイル部１３は、ＲＦコイル部１４が受信する磁気共鳴信号に空間的な位置情報を付加するように、撮像空間Ｂに勾配磁場を形成する。ここでは、勾配コイル部１３は、ｘ方向とｙ方向とｚ方向との互いに直交する３軸方向に対応して勾配磁場を形成するように、３系統からなる。これらは、制御部３０から出力された制御信号に基づいて、周波数エンコード方向と位相エンコード方向とスライス選択方向のそれぞれに勾配パルスを送信する。具体的には、勾配コイル部１３は、被検体ＳＵのスライス選択方向に勾配パルスを送信することによって、ＲＦコイル部１４がＲＦパルスを送信する際に励起させる被検体ＳＵのスライスを選択する。また、勾配コイル部１３は、被検体ＳＵの位相エンコード方向に勾配パルスを送信することによって、ＲＦパルスにより励起されたスライスからの磁気共鳴信号を位相エンコードする。そして、勾配コイル部１３は、被検体ＳＵの周波数エンコード方向に勾配パルスを送信することによって、ＲＦパルスにより励起されたスライスからの磁気共鳴信号を周波数エンコードする。
【００３２】
ＲＦコイル部１４は、図１に示すように、被検体ＳＵの撮影領域を囲むように配置されており、静磁場マグネット部１２によって静磁場が形成される撮像空間Ｂ内において、制御部３０からの制御信号に基づいて、電磁波であるＲＦパルスを被検体ＳＵに送信して高周波磁場を形成する。これにより、被検体ＳＵの撮影領域におけるプロトンのスピンを励起する。そして、ＲＦコイル部１４は、その励起された被検体ＳＵの撮影領域におけるプロトンのスピンが元の磁化ベクトルへ戻る際に生ずる電磁波を、磁気共鳴信号として受信する。
【００３３】
ＲＦ駆動部１５は、ＲＦコイル部１４を駆動させることによって、撮像空間Ｂ内にＲＦパルスを送信させて高周波磁場を形成する。ＲＦ駆動部１５は、制御部３０から出力された制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００３４】
勾配駆動部１６は、制御部３０から出力された制御信号に基づいて、勾配コイル部１３を駆動させることによって、静磁場が形成されている撮像空間Ｂ内に勾配磁場を発生させる。勾配駆動部１６は、３系統の勾配コイル部１３に対応して３系統の駆動回路（図示なし）を有する。
【００３５】
データ収集部１７は、制御部３０から出力された制御信号に基づいて、ＲＦコイル部１４が受信する磁気共鳴信号を収集する。ここでは、データ収集部１７は、ＲＦコイル部１４が受信する磁気共鳴信号をＲＦ駆動部１５のＲＦ発振器の出力を参照信号として位相検波器が位相検波する。その後、Ａ／Ｄ変換器を用いて、このアナログ信号である磁気共鳴信号をデジタル信号に変換して出力する。
【００３６】
撮像装置２において被検体移動部２１は、撮像空間Ｂの内部と外部との間において、被検体ＳＵを移動させる。本実施形態においては、被検体移動部２１は、図１に示すように、クレードル２１ａとクレードル移動部２１ｂとを有しており、制御部３０から出力された制御信号に基づいて、撮像空間Ｂへクレードル２１ａをクレードル移動部２１ｂに移動させることによって、被検体ＳＵを移動させる。
【００３７】
被検体移動部２１の各部について説明する。
【００３８】
クレードル２１ａは、被検体ＳＵが載置される載置面を備えたテーブルであり、図１に示すように、クレードル移動部２１ｂによって、水平方向ｘｚと上下方向ｙとのそれぞれの方向に移動され、静磁場が形成される撮像空間Ｂに搬出入される。
【００３９】
クレードル移動部２１ｂは、クレードル２１ａをスキャン部１１に移動させるように構成されており、クレードル２１ａを外部から撮像空間Ｂの内部へ移動して収容させる。クレードル移動部２１ｂは、たとえば、ローラー（ｒｏｌｌｏｒ）式駆動機構を備えており、アクチュエータ（ａｃｔｕａｔｏｒ）によりローラーを駆動させてクレードル２１ａを水平方向ｘｚに移動する。また、クレードル移動部２１ｂは、たとえば、アーム（ａｒｍ）式駆動機構を備えており、交差した２本のアーム間の角度を可変することにより、クレードル２１ａを上下方向ｙに移動する。
【００４０】
撮像装置２において制御部３０は、コンピュータ（ｃｏｍｐｕｔｅｒ）と、そのコンピュータに所定のデータ処理を実行させるプログラム（ｐｒｏｇｒａｍ）を記憶するメモリ（ｍｅｍｏｒｙ）とを有しており、各部を制御する。ここでは、制御部３０は、操作装置４から出力された操作データが入力され、その操作データに基づいて、制御信号を生成する。たとえば、制御部３０は、操作データに基づいて、スキャン部１１を制御する制御信号を生成する。その後、その生成した制御信号をスキャン部１１に出力して、スキャン部１１を制御する。すなわち、図１に示すように、ＲＦ駆動部１５と勾配駆動部１６とデータ収集部１７とのそれぞれに制御信号を出力し、設定したスキャン条件に対応するように、各部の動作を制御する。また、この他に、制御部３０は、画像再構成部３１とフィルミング部３２へ、制御信号を出力し、制御を行う。
【００４１】
撮像装置２において画像再構成部３１は、コンピュータと、そのコンピュータを用いて所定のデータ処理を実行するプログラムを記憶するメモリとを有しており、制御部３０から出力された制御信号に基づいて、画像再構成処理を実行し、被検体についての画像を再構成する。ここでは、スキャン部１１が被検体ＳＵについてスキャンを実施することによりｋ空間に対応するように収集した磁気共鳴信号について画像再構成処理を実施し、被検体ＳＵの画像を再構成する。すなわち、画像再構成部３１は、スキャン部１１によって収集された磁気共鳴信号を、ローデータとして、その被検体の画像を生成する。そして、画像再構成部３１は、その再構成した画像のデータを、表示部４５に出力する。
【００４２】
撮像装置２においてフィルミング部３２は、画像再構成部３１によって再構成された画像についてフィルミングを実施する。ここでは、フィルミング部３２は、たとえば、プリンター（ｐｒｉｎｔｅｒ）を含み、被検体について再構成された画像を、そのプリンターが制御部３０から出力された制御信号に基づいてプリントアウト（ｐｒｉｎｔ  ｏｕｔ）する。
【００４３】
操作装置４について説明する。
【００４４】
操作装置４は、撮像装置２の動作について操作を実行するように構成されている。本実施形態においては、操作装置４は、たとえば、撮像装置２においてスキャン部１１が被検体についてスキャンを実施し、そのスキャンの実施によって収集された磁気共鳴信号に基づいて画像再構成部３１が被検体の画像を生成し、その画像をフィルミング部３２がフィルミングするように、制御部３０へ操作信号を出力する。この操作装置４は、いわゆるグラフィカル・ユーザー・インターフェイスであり、表示部４５に入力項目を示す画像を表示し、その表示された画像を観察したオペレータが入力部４１において入力データを入力する。その後、その入力データに基づいて操作部４２が操作データを制御部３０へ出力する。そして、本実施形態においては、操作装置４は、その入力された入力データの入力順序と、入力タイミング（ｔｉｍｉｎｇ）とを登録データとして記憶する。そして、その後、その登録データが呼び出す呼出データが入力された際には、その入力データの入力順序と、入力タイミングとに従うように、撮像装置２について操作を実施する。すなわち、入力タイミングに応ずるように、いわゆるマクロ（ｍａｃｒｏ）機能を実行することによって、自動的に、複数の入力データに対応する操作を、順次、実施する。
【００４５】
操作装置４を構成する各部について順次説明する。
【００４６】
操作装置４において入力部４１は、キーボード，ポインティングデバイス，リモートコントローラー（ｒｅｍｏｔｅ  ｃｏｎｔｒｏｌｌｅｒ）などの入力デバイスを含み、オペレータが入力デバイスを用いて複数の入力項目に入力データが入力されるように構成されている。
【００４７】
具体的には、入力部４１は、スキャン部１１が実施するスキャンのスキャンパラメータ（ｐａｒａｍｅｔｅｒ）を、入力項目としており、そのスキャンパラメータに対応するように、入力データが入力される。また、入力部４１は、スキャン部１１によってスキャンが実施される被検体の被検体情報を、入力項目としており、その被検体情報に対応するように、入力データが入力される。また、本実施形態においては、入力部４１は、クレードル移動部２１ｂにクレードル２１ａを移動させる動作を開始させるクレードル移動開始指令が、入力データとして入力されるように構成されている。そして、入力部４１は、スキャン部１１にスキャンの実施を開始させるスキャン開始指令と、フィルミング部３２にフィルミングの実施を開始させるフィルミング開始指令とが、入力データとして入力されるように構成されている。さらに、本実施形態においては、入力部４１は、記憶部４３によって記憶されている登録データを、その記憶部４３から呼び出す呼出データが、入力データとしてオペレータによって入力されるように構成されている。これらの入力データは、たとえば、キーボードやリモートコントローラにおいて予め定められたキーをオペレータが選択的に押すことによって、入力される。たとえば、記憶部４３によって記憶されている登録データを、その記憶部４３から呼び出す呼出データが、入力データとしてオペレータによって入力されるように、キーボードやリモートコントローラのファンクションキー（ｆｕｎｃｔｉｏｎ  ｋｅｙ）に、その機能が割り当てられる。
【００４８】
操作装置４において操作部４２は、コンピュータと、そのコンピュータを用いて所定のデータ処理を実行するプログラムを記憶するメモリとを有しており、入力部４１において複数の入力項目に入力された入力データに基づいて撮像装置２などの各部を操作するように構成されている。
【００４９】
たとえば、操作部４２は、入力部４１においてクレードル移動部２１ｂにクレードル２１ａを移動させる動作を開始させるクレードル移動開始指令が、入力データとして入力された際には、そのクレードル移動開始指令に基づいて、クレードル２１ａを撮像空間Ｂへ収容させるように、クレードル移動部２１ｂを操作する。また、たとえば、スキャン部１１にスキャンの実施を開始させるスキャン開始指令が入力部４１に入力された際には、スキャン部１１がスキャンの実施を開始するように、スキャン部１１を操作する。また、フィルミング部３２にフィルミングの実施を開始させるフィルミング開始指令が、入力データとして入力部４１に入力された際には、フィルミング部３２がフィルミングの実施を開始するように、フィルミング部３２を操作する。
【００５０】
この他に、本実施形態においては、操作部４２は、記憶部４３によって記憶されている登録データを、その記憶部４３から呼び出す呼び出しデータが、入力部４１において入力された際には、記憶部４３によって記憶されている登録データに基づいて、その入力順序と入力タイミングとに対応するように撮像装置２を操作する。
【００５１】
たとえば、スキャン部１１にスキャンの実施を開始させるスキャン開始指令と、フィルミング部３２にフィルミングの実施を開始させるフィルミング開始指令とが、入力データとして入力部４１に入力され、その入力部４１においてスキャン開始指令とフィルミング開始指令とが順次入力された入力順序と入力タイミングとのそれぞれを、登録データとして記憶部４３が記憶した場合において、その後、その入力部４１において、その登録データを呼び出す呼出データが入力された際には、操作部４２は、その記憶部４３によって記憶されている登録データに基づいて、その入力順序と入力タイミングとに対応するように、スキャン部１１がスキャンを実施し、当該スキャンの実施によって収集されたローデータに基づいて画像再構成部３１が画像再構成処理を実施した後に、フィルミング部３２がフィルミングを実施するように、撮像装置２を操作する。
【００５２】
ここでは、操作部４２は、モニター部４４がマグネットルームＭＧのドアＭＤの開閉についてモニターした結果において、そのドアＭＤが閉じられている場合に、撮像装置２の操作を開始をする。そして、入力部４１においてクレードル移動部２１ｂにクレードル２１ａを移動させる動作を開始させるクレードル移動開始指令が入力データとして入力された際に、そのクレードル移動開始指令に基づいて、クレードル２１ａを撮像空間Ｂへ収容させるように、クレードル移動部２１ｂを操作した後に、そのクレードル移動部２１ｂがクレードル２１ａを撮像空間Ｂへ収容させる動作が完了したか否かを、モニター部４４がモニターした結果に基づいて、操作部４２が判断する。そして、そのクレードル移動部２１ｂの動作が完了されたものと判断された際には、スキャン部１１がスキャンの実施を開始するように、スキャン部１１を操作する。
【００５３】
また、本実施形態においては、操作部４２は、その入力順序と入力タイミングとに対応するように撮像装置２を操作する際に、モニター部４４が撮像装置２についてモニターした結果に基づいて、その入力タイミングと異なるタイミングに変更して、その撮像装置２の操作を実行する。
【００５４】
この場合においては、たとえば、操作部４２は、その記憶部４３にて登録データとして記憶されている入力タイミングに対応する時間において、画像再構成部３１が実施する画像再構成処理が完了するかしないかを、モニター部４４によってモニターされた結果に基づいて判断する。そして、その画像再構成処理の実施が、その入力タイミングに対応する時間において完了しないと判断される際には、記憶部４３において登録データとして記憶されている入力タイミングに対応する時間よりも長い時間になるように変更して、撮像装置２を操作する。
【００５５】
操作装置４において記憶部４３は、メモリなどの記憶デバイスによって構成されており、各種データを記憶する。そして、記憶部４３は、その記憶されたデータが必要に応じて操作部４２によってアクセス（ａｃｃｅｓｓ）される。
【００５６】
本実施形態においては、記憶部４３は、入力部４１において複数の入力項目に入力データが順次入力された入力順序と、その複数の入力項目に入力データが順次入力された入力タイミングとを登録データとして記憶する。たとえば、入力部４１において、スキャン部１１にスキャンの実施を開始させるスキャン開始指令と、フィルミング部３２にフィルミングの実施を開始させるフィルミング開始指令とが、入力データとして入力された際には、記憶部４３は、入力部４１においてスキャン開始指令とフィルミング開始指令とが順次入力された入力順序と入力タイミングとのそれぞれを、登録データとして記憶する。
【００５７】
操作装置４においてモニター部４４は、コンピュータと、そのコンピュータを用いて所定のデータ処理を実行するプログラムを記憶するメモリとを有しており、撮像装置２の動作をモニターする。
【００５８】
たとえば、モニター部４４は、スキャン部１１の動作をモニターする。すなわち、スキャン部１１がスキャンを実施しているか否かを監視する。また、モニター部４４は、操作部４２によって操作されたクレードル移動部２１ｂがクレードル２１ａを撮像空間Ｂへ収容させる動作が完了したか否かをモニターする。ここでは、たとえば、クレードル２１ａの移動位置を、位置センサ（ｓｅｎｓｏｒ）（図示なし）が検知し、その検知した結果に基づいて、クレードル２１ａが撮像空間Ｂへ収容されたか否かを監視する。また、モニター部４４は、画像再構成部３１の動作をモニターする。すなわち、画像再構成部３１が画像再構成処理を実施しているか否かを監視する。また、モニター部４４は、マグネットルームＭＧのドアＭＤの開閉をモニターする。ここでは、たとえば、ドアＭＤの移動位置を、位置センサ（図示なし）が検知し、その検知した結果に基づいて、ドアＭＤが開かれたか、閉じられたかを監視する。
【００５９】
操作装置４において表示部４５は、ＬＣＤ（Ｌｉｑｕｉｄ  Ｃｒｙｓｔａｌ  Ｄｉｓｐｌａｙ）などの表示デバイスによって構成されており、表示画面に画像を表示する。たとえば、表示部４５は、オペレータによって入力部４１に入力データが入力される入力項目を示す画像と、その入力データが入力されるダイアログボックス（Ｄｉａｌｏｇ  ｂｏｘ）を示す画像とを、表示画面に複数並べて表示する。具体的には、表示部４５は、エコー数，エコー時間，繰り返し時間，バンド幅などのスキャンパラメータと、被検体の氏名や体重などの被検体情報とが入力されるダイアログボックスや、クレードルを移動させる指示やスキャンの開始の指示を入力するボタンなどを表示しており、これらに対応するように各入力項目を文字情報として表示画面に表示する。また、表示部４５は、画像再構成部３１によって再構成された撮影領域の画像データを受け、表示画面に、その画像を表示する。すなわち、表示部４５は、医用画像として再構成された磁気共鳴画像を表示画面に表示する。
【００６０】
そして、本実施形態においては、表示部４５は、入力部４１において複数の入力項目にて予め定められた特定の入力項目に入力データが入力された際には、当該特定の入力項目に入力データが入力された旨を示す画像を、その表示画面に表示する。たとえば、入力部４１においてクレードル移動開始指令が入力された際に、クレードル移動開始指令が入力された旨を示す画像を表示画面に表示する。
【００６１】
（動作）
上記の本発明にかかる実施形態の磁気共鳴イメージング装置１の動作について説明する。
【００６２】
磁気共鳴イメージング装置１において、入力された入力データの入力順序と入力タイミングとのそれぞれを記憶する際の動作に関して説明する。つまり、マクロ機能を実行する際の動作を、登録データとして記憶する際の動作について説明する。
【００６３】
図２は、本発明にかかる実施形態の磁気共鳴イメージング装置１において、入力された入力データの入力順序と入力タイミングとのそれぞれを記憶する際の動作を示すフロー図である。
【００６４】
図２に示すように、まず、入力データの入力が実施される（Ｓ１１）。
【００６５】
ここでは、オペレータが入力部４１において複数の入力項目に入力データを入力する。
【００６６】
たとえば、スキャン部１１にスキャンの実施を開始させるスキャン開始指令を入力する。その後、スキャンの実施が開始された後に、そのスキャンの実施および画像再構成処理の実施が完了された際には、フィルミング部３２にフィルミングの実施を開始させるフィルミング開始指令を、入力データとして入力する。
【００６７】
つぎに、図２に示すように、予め定められた特定の入力項目に入力データが入力されたか否かを判断する（Ｓ２１）。
【００６８】
ここでは、その入力された入力データを操作部４２が受け、その入力データが予め定められた特定の入力項目に入力データが入力されたものであるか否かを、操作部４２が判断する。たとえば、安全面などの観点においてマクロ機能を実行するのに適当な操作でない入力項目を、その特定の入力項目として記憶しており、この記憶している特定の入力項目に対応する入力データが入力されたか否かに応じて、上記判断を実施する。具体的には、入力部４１においてクレードル移動開始指令が入力された際に、特定の入力項目に入力データが入力されたものであるとして判断する。
【００６９】
そして、図２に示すように、予め定められた特定の入力項目に入力データが入力された場合（Ｙｅｓ）においては、その予め定められた特定の入力項目に入力データが入力された旨を示す画像を表示する（Ｓ２２）。
【００７０】
ここでは、特定の入力項目に入力データが入力された旨を示す画像を、表示部４５が表示画面に表示する。たとえば、上記のように、安全面などの観点において適当な操作でない入力項目に入力データが入力された際に、その旨を示す画像を表示する。具体的には、入力部４１においてクレードル移動開始指令が入力された際に、そのクレードル移動開始指令が入力された旨を示す画像を表示画面に表示する。たとえば、「クレードルの移動を開始する指令が入力されました。」などの文字情報の画像を、表示画面に表示する。
【００７１】
つぎに、図２に示すように、順次入力された入力データの入力順序と入力タイミングとのそれぞれを、登録データとして記憶する（Ｓ３１）。
【００７２】
ここでは、入力部４１において複数の入力項目に入力データが順次入力された入力順序と、その複数の入力項目に入力データが順次入力された入力タイミングとを、記憶部４３が登録データとして記憶する。
【００７３】
図３は、本発明にかかる実施形態において登録データとして記憶する入力順序と入力タイミングとを示す図である。
【００７４】
図３に示すように、たとえば、スキャン部１１にスキャンの実施を開始させるスキャン開始指令ＳＫと、フィルミング部３２にフィルミングの実施を開始させるフィルミング開始指令ＦＫとが、入力データとして時間軸ｔに沿って順次入力された際には、そのスキャン開始指令ＳＫとフィルミング開始指令ＦＫとが順次入力された入力順序を登録データとして記憶する。そして、さらに、そのスキャン開始指令ＳＫとフィルミング開始指令ＦＫとが順次入力された入力タイミングを、登録データとして記憶する。つまり、スキャン開始指令ＳＫとフィルミング開始指令ＦＫとが順次入力された間の時間ｔ１を登録データとして記憶する。そして、その記憶部４３によって記憶されている登録データを、その記憶部４３から呼び出す呼出データが、入力データとしてオペレータによって入力されるように、キーボードやリモートコントローラのファンクションキーに、その機能を割り当てる。
【００７５】
以下より、磁気共鳴イメージング装置１において、上記のように記憶された登録データを呼び出し、その登録データとして記憶されている入力順序と入力タイミングとに対応するように撮像装置２を操作する際の動作について説明する。すなわち、入力タイミングに応ずるようにマクロ機能を実行する際の動作に関して説明する。
【００７６】
図４は、本発明にかかる実施形態の磁気共鳴イメージング装置１において、入力タイミングに応ずるようにマクロ機能を実行する際の動作を示すフロー図である。
【００７７】
図４に示すように、まず、登録データを呼び出す呼出しデータの入力を実施する（Ｓ１１１）。
【００７８】
ここでは、記憶部４３によって記憶されている登録データを呼び出す呼出データを、オペレータが入力部４１において入力する。たとえば、キーボードやリモートコントローラのファンクションキーを押すことによって、その記憶部４３から登録データを呼び出す呼出データを入力する。
【００７９】
つぎに、図４に示すように、予め定められた特定の入力項目に対応する入力データが、登録データとして記憶されているか否かを判断する（Ｓ１２１）。
【００８０】
ここでは、呼出データの入力によって記憶部４３から呼び出された登録データを操作部４２が受ける。
【００８１】
たとえば、スキャン部１１にスキャンの実施を開始させるスキャン開始指令ＳＫと、フィルミング部３２にフィルミングの実施を開始させるフィルミング開始指令ＦＫとが、所定の時間ｔ１を隔てて順次入力されたものとして、記憶されている登録データを、記憶部４３から呼び出し、操作部４２が受ける。
【００８２】
そして、その登録データにおいて記憶されている入力データに対応する入力項目が、予め定められた特定の入力項目であるか否かを、操作部４２が判断する。たとえば、安全面などの観点においてマクロ機能を実行するのに適当な操作でない入力項目を、その特定の入力項目として記憶しており、この記憶している特定の入力項目に対応するか否かに応じて、上記判断を実施する。具体的には、クレードル移動開始指令が登録データにおいて入力データとして記憶されている場合には、特定の入力項目に対応する入力データが登録データとして記憶されているものとして判断する。
【００８３】
そして、このように判断される場合（Ｙｅｓ）には、操作の実行を完了させる。
【００８４】
一方で、上記のように判断されない場合には、図４に示すように、操作の開始が可能か否かを判断する（Ｓ１３１）。
【００８５】
ここでは、モニター部４４が撮像装置２の動作をモニターし、そのモニターした結果に基づいて、操作部４２が操作の開始が可能か否かを判断する。すなわち、本実施形態においては、スキャン部１１にスキャンの実施を開始させるスキャン開始指令ＳＫと、フィルミング部３２にフィルミングの実施を開始させるフィルミング開始指令ＦＫとを、所定の時間ｔ１を隔てて順次入力した際の動作に対応する操作について、開始が可能か否かを判断する
【００８６】
たとえば、操作部４２によって操作されたクレードル移動部２１ｂがクレードル２１ａを撮像空間Ｂへ収容させる動作が完了したか否かを、モニター部４４がモニターする。また、さらに、本実施形態においては、マグネットルームＭＧのドアＭＤの開閉を、モニターする。
【００８７】
そして、モニター部４４がモニターした結果に基づいて、クレードル移動部２１ｂがクレードル２１ａを撮像空間Ｂへ収容させる動作が完了したか否かを、操作部４２が判断する。また、さらに、モニター部４４がマグネットルームＭＧのドアＭＤの開閉についてモニターした結果に基づいて、そのドアＭＤが閉じられているか否かを、操作部４２が判断する。
【００８８】
そして、このとき、クレードル移動部２１ｂがクレードル２１ａを撮像空間Ｂへ収容させることと、ドアＭＤが閉じられていることとのいずれか一方について、完了されていないと判断された場合には、操作の開始が可能でないと判断し（Ｎｏ）、一定時間の待機を実施する（Ｓ１３２）。そして、操作の開始が可能か否かを、再度、判断し（Ｓ１３１）、クレードル移動部２１ｂがクレードル２１ａを撮像空間Ｂへ収容させる動作が完了され、かつ、ドアＭＤが閉じられているものと判断されるまで、この動作を繰り返す。
【００８９】
そして、クレードル移動部２１ｂがクレードル２１ａを撮像空間Ｂへ収容させる動作が完了され、かつ、ドアＭＤが閉じられている場合には、操作の開始が可能であると判断し（Ｙｅｓ）、登録データとして記憶されている入力順序と入力タイミングとのそれぞれに対応するように、操作の実行を開始する（Ｓ１４１）。
【００９０】
ここでは、記憶部４３によって登録データとして記憶されている入力順序と入力タイミングとに対応するように、スキャン部１１がスキャンを実施し、そのスキャンの実施によって収集されたローデータに基づいて画像再構成部３１が画像再構成処理を実施した後に、フィルミング部３２がフィルミングを実施するように、操作部４２が撮像装置２の操作を開始する。
【００９１】
つぎに、図４に示すように、操作の実施が適切なタイミングか否かを判断する（Ｓ１５１）。
【００９２】
ここでは、モニター部４４が撮像装置２についてモニターした結果に基づいて、操作の実施が適切なタイミングか否かを操作部４２が判断する。
【００９３】
たとえば、スキャン部１１の動作をモニター部４４がモニターする。すなわち、スキャン部１１がスキャンを実施しているか否かをモニターする。また、さらに、画像再構成部３１の動作をモニター部４４がモニターする。すなわち、画像再構成部３１が画像再構成処理を実施しているか否かをモニターする。
【００９４】
そして、その記憶部４３にて登録データとして記憶されている入力タイミングに対応する時間において、スキャン部１１がスキャンの実施を完了すると共に、画像再構成部３１が実施する画像再構成処理が完了するかしないかを、モニター部４４によってモニターされた結果に基づいて、操作部４２が判断する。
【００９５】
そして、このとき、スキャン部１１がスキャンの実施を完了すると共に、画像再構成部３１が実施する画像再構成処理が完了されていないと判断された場合には、操作の実施が適切なタイミングでないと判断し（Ｎｏ）、図４に示すように、一定時間の待機を実施する（Ｓ１５２）。
【００９６】
ここでは、モニター部４４が撮像装置２についてモニターした結果に基づいて、その入力タイミングと異なるタイミングに変更して、その撮像装置２の操作を実行する。
【００９７】
具体的には、画像再構成処理の実施が、その入力タイミングに対応する時間において完了しないと判断される際には、記憶部４３において登録データとして記憶されている入力タイミングに対応する時間よりも長い時間になるように変更して、撮像装置２を操作する。本実施形態においては、操作部４２は、画像再構成処理の実施が完了する時点に対応して、フィルミング部３２がフィルミングの実施を開始するように、撮像装置２を操作する。
【００９８】
そして、操作のタイミングが適切か否かを、再度、判断し（Ｓ１５１）、スキャン部１１がスキャンの実施を完了すると共に、画像再構成部３１が実施する画像再構成処理が完了されていないと判断されるまで、この動作を繰り返す。
【００９９】
一方で、スキャン部１１がスキャンの実施を完了すると共に、画像再構成部３１が実施する画像再構成処理が完了されていると判断された場合には、操作の実施が適切なタイミングであると判断し（Ｙｅｓ）、図４に示すように、操作の実行を継続する（Ｓ１６１）。
【０１００】
すなわち、図３に示したように、スキャン部１１にスキャンの実施を開始させるスキャン開始指令ＳＫと、フィルミング部３２にフィルミングの実施を開始させるフィルミング開始指令ＦＫとが、入力データとして時間軸ｔに沿って順次入力された間の時間ｔ１を隔てるように、各入力データに対応する操作が順次実行される。そして、この後、被検体ＳＵを撮像空間Ｂから搬出するか否かを示す案内が示され、搬出する場合には、その旨の入力データを入力する。そして、被検体ＳＵに、たとえば、「お疲れ様でした」などの音声情報が提示された後、被検体ＳＵが搬出される。
【０１０１】
以上のように、本実施形態においては、入力部４１において複数の入力項目に入力データが順次入力された入力順序と、その複数の入力項目に入力データが順次入力された入力タイミングとを登録データとして記憶部４３が記憶する。そして、入力部４１においては、その記憶部４３によって記憶されている登録データを、その記憶部から呼び出す呼出データが入力データとしてオペレータによって入力されるように構成されており、その入力部４１において呼出データが入力された際には、記憶部４３によって登録データとして記憶されている入力順序と入力タイミングとに対応するように、操作部４２が撮像装置２を操作する。すなわち、入力タイミングに応ずるようにマクロ機能を実行することによって、自動的に、複数の入力データに対応する操作を順次実施する。このため、本実施形態は、入力データを入力する手数を省くことができる。さらに、リモートコントローラを使用すれば、遠隔操作ができるため、より迅速に入力動作を実施することができる。したがって、本実施形態においては、操作性が向上され、撮像効率を向上することができる。つまり、オペレータの操作負担を軽減し、効率的にルーチン操作を実行することができる。
【０１０２】
また、本実施形態において、入力部４１において複数の入力項目にて予め定められた特定の入力項目に入力データが入力された際には、表示部４５は、当該特定の入力項目に入力データが入力された旨を示す画像を、表示部４５が表示画面に表示する。このため、登録させる操作内容を確認することが容易にできる。したがって、本実施形態においては、操作性が向上され、撮像効率を向上することができる。つまり、登録させる操作内容を、たとえば、安全性の観点を考慮して確認可能であるため、安全性を向上することができる。
【０１０３】
また、本実施形態においては、その登録データとして記憶された入力順序と入力タイミングとに対応するように撮像装置２を操作する際には、操作部４２は、モニター部４４が撮像装置２についてモニターした結果に基づいて当該入力タイミングと異なるタイミングに変更して、その撮像装置２の操作を実行する。このため、本実施形態は、適切なタイミングで操作を実行することができる。したがって、本実施形態においては、操作性が向上され、撮像効率を向上することができる。
【０１０４】
なお、本実施形態における磁気共鳴イメージング装置１は、本発明における画像診断装置に相当する。また、本実施形態における磁気共鳴イメージング装置１は、本発明における画像診断装置に相当する。また、本実施形態における撮像装置２は、本発明における撮像装置に相当する。また、本実施形態における操作装置４は、本発明における、操作装置に相当する。また、本実施形態におけるスキャン部１１は、本発明における、スキャン部に相当する。また、本実施形態におけるクレードル２１ａは、本発明における、クレードルに相当する。また、本実施形態におけるクレードル移動部２１ｂは、本発明における、クレードル移動部に相当する。また、本実施形態における画像再構成部３１は、本発明における、画像再構成部に相当する。また、本実施形態におけるフィルミング部３２は、本発明における、フィルミング部に相当する。また、本実施形態における入力部４１は、本発明における、入力部に相当する。また、本実施形態における操作部４２は、本発明における、操作部に相当する。また、本実施形態における記憶部４３は、本発明における、記憶部に相当する。また、本実施形態におけるモニター部は、本発明における４４、モニター部に相当する。また、本実施形態における表示部４５は、本発明における、表示部に相当する。また、本実施形態におけるマグネットルームＭＧは、本発明における、マグネットルームに相当する。また、本実施形態におけるドアＭＤは、本発明における、ドアに相当する。
【０１０５】
また、本発明の実施に際しては、上記した実施形態に限定されるものではなく、種々の変形例を採用することができる。
【０１０６】
たとえば、上記の実施形態においては、画像診断装置として磁気共鳴イメージング装置の場合を説明したが、これに限定されない。たとえば、放射線ＣＴ装置、超音波診断装置などにおいても、適用可能である。すなわち、Ｘ線などの放射線を被検体に照射し、当該被検体を透過した放射線を検出することによって取得した投影データに基づいて再構成された放射線ＣＴ画像を医用画像として表示する場合においても適用可能である。また、被検体に超音波を送信し、その被検体において反射されたエコー信号に基づいて生成された超音波画像を、医用画像として表示する場合においても適用可能である。
【０１０７】
また、上記の実施形態においては、マクロ機能を実行させるために登録データを呼び出す機能を、キーボードやリモートコントローラのキーに割り当てる場合について説明したが、これに限定されない。たとえば、ポインティングデバイスのマウスジェスチャーの一部の機能や、フットスイッチの機能として、割り当ててもよい。
【０１０８】
さらに、上記のようなマクロ機能の実行有無を選択する入力データがオペレータによって入力されるように、入力部４１が構成され、その選択の結果に対応するように、操作部４２が撮像装置２を操作するように構成されていても良い。
【０１０９】
また、本実施形態においては、画像再構成処理の実施が、その入力タイミングに対応する時間において完了しないと判断される際には、記憶部４３において登録データとして記憶されている入力タイミングに対応する時間よりも長い時間になるように変更して、撮像装置２を操作する場合について説明したが、これに限定されない。たとえば、その画像再構成処理の実施が、その入力タイミングに対応する時間内において完了すると判断される際には、操作部４２は、記憶部４３によって登録データとして記憶されている入力タイミングに対応する時間よりも短い時間になるように変更し、撮像装置２を操作する。具体的には、操作部４２は、画像再構成処理の実施が完了する時点に対応して、フィルミング部３２がフィルミングの実施を開始するように、撮像装置２を操作してもよい。このようにすることによって、全体の動作時間を短縮することが可能であるため、撮影効率を向上させることができる。
【０１１０】
また、本実施形態においては、スキャン、画像再構成処理、フィルミングを、順次実施する順序と、その実施のタイミングとを、登録データとして記憶し、スキャン、画像再構成処理、フィルミングを、その記憶した登録データに対応するように実行する場合について示したが、これに限定されない。たとえば、複数のシリーズのスキャンを実施する際において、１番目のシリーズのスキャンを実施後、２番目のシリーズのスキャンを実施するスキャン位置が設定された後に、自動的に、その２番目のシリーズのスキャンを実施することを、登録データとして記憶し、その登録データに対応するように操作を実行する場合について適用できる。その他、スキャンの完了後に、クロスラインをいれたリファレンスイメージを作成し、フィルミングするなど、さまざまな場合について適用することができる。
【図面の簡単な説明】
【０１１１】
【図１】図１は、本発明にかかる実施形態において、磁気共鳴イメージング装置１の構成を示す構成図である。
【図２】図２は、本発明にかかる実施形態の磁気共鳴イメージング装置１において、入力された入力データの入力順序と入力タイミングとのそれぞれを記憶する際の動作を示すフロー図である。
【図３】図３は、本発明にかかる実施形態において登録データとして記憶する入力順序と入力タイミングとを示す図である。
【図４】図４は、本発明にかかる実施形態の磁気共鳴イメージング装置１において、入力タイミングに応ずるようにマクロ機能を実行する際の動作を示すフロー図である。
【符号の説明】
【０１１２】
１：磁気共鳴イメージング装置（画像診断装置）、
２：撮像装置（撮像装置）、
４：操作装置（操作装置）、
１１：スキャン部（スキャン部）、
１２：静磁場マグネット部、
１３：勾配コイル部、
１４：ＲＦコイル部、
１５：ＲＦ駆動部、
１６：勾配駆動部、
１７：データ収集部、
２１：被検体移動部、
２１ａ：クレードル（クレードル）、
２１ｂ：クレードル移動部（クレードル移動部）、
３０：制御部、
３１：画像再構成部（画像再構成部）、
３２：フィルミング部（フィルミング部）、
４１：入力部（入力部）、
４２：操作部（操作部）、
４３：記憶部（記憶部）、
４４：モニター部（モニター部）、
４５：表示部（表示部）、
ＭＧ：マグネットルーム（マグネットルーム）、
ＭＤ：ドア（ドア）
【図１】
2008289582.tif 000003
【図２】
2008289582.tif 000004
【図３】
2008289582.tif 000005
【図４】
2008289582.tif 000006